(57)【特許請求の範囲】
【請求項１】
一方が開口する断面コ字状の照明装置本体の中央板状部下面あるいは下方に複数の発光ダイオードが長手方向に並べられた照明装置であって、前記中央板状部上面の少なくとも左右端側に長手方向に延びるあり溝が設けられ、前記照明装置本体の左右端には、前記あり溝内に摺動自在に嵌合する嵌合部と前記照明装置本体の左右端からそれぞれ突出する取付部から成る一対の取付部材が設けられ、該取付部材は前記照明装置本体の左右端に係合固定した側端部材により前記照明装置本体の左右端からそれぞれ外方への移動が阻止されていることを特徴とする照明装置。
【請求項２】
前記取付部材の取付部と嵌合部との間には取付部が上位となる段差部が形成され、前記側端部材の上辺部が該段差部と係合することにより、取付部材の外方への移動が阻止されている請求項１に記載の照明装置。
【請求項３】
前記取付部材の嵌合部が前記あり溝に嵌合された状態において、嵌合部のあり溝幅方向の長さがあり溝底部の幅と等しいか小さく、かつあり溝開口幅よりは大きく形成され、嵌合部のあり溝と平行方向の長さがあり溝開口幅より小さく形成されているとともに、前記段差部のあり溝幅方向の長さがあり溝開口幅より小さく、且つ段差部の高さがあり溝高さよりも大きく形成されている請求項２に記載の照明装置。
【請求項４】
前記照明装置本体はアルミの押出し成型で形成され、あり溝は中央板状部の長手方向に連続して形成されている請求項１乃至３のいずれかに記載の照明装置。
【請求項５】
前記あり溝の取付部材が嵌合していない部分に剛性板部材が挿入されている請求項４にいずれかに記載の照明装置。
【発明の詳細な説明】
【技術分野】
【０００１】
本発明は、一方が開口する断面コ字状の照明装置本体の中央板状部下面あるいは下方に複数の発光ダイオードが長手方向に並べられた照明装置に関する。
【背景技術】
【０００２】
近年、照明装置として複数の発光ダイオードを利用したものが知られている（例えば、特許文献１参照）。この従来の照明装置は、樹脂製の板状基板に取り付けられた複数の発光ダイオードを透明な樹脂カバーで覆い、板状基板を樹脂カバーに固定した状態で取付ボルトを介して被取付体であるトラックに取り付けられるように構成されている。
【０００３】
【特許文献１】特開２００３−２０８８０６号公報（図２，図６）
【発明の開示】
【発明が解決しようとする課題】
【０００４】
しかしながら、前記特許文献１に記載の照明装置は、被取付体に取り付けるための取付孔を照明装置本体に直接形成するようにしてあるため、照明装置本体には取付孔用の肉厚部を複数箇所設けなければならず、照明装置が長寸化になっていた。また、取付ボルトの締め付け時に樹脂カバーを有する照明装置本体を誤って傷つけたり、破損したりする危険性もあった。
【０００５】
本発明は、このような問題点に着目してなされたもので、照明装置本体の長寸化を抑え、かつ工具等を使用することなく被取付体に取り付けるための取付部材を照明装置本体に容易に組み付けることができる照明装置を提供することを目的とする。
【課題を解決するための手段】
【０００６】
上記課題を解決するために、本発明の請求項１に記載の照明装置は、一方が開口する断面コ字状の照明装置本体の中央板状部下面あるいは下方に複数の発光ダイオードが長手方向に並べられた照明装置であって、前記中央板状部上面の少なくとも左右端側に長手方向に延びるあり溝が設けられ、前記照明装置本体の左右端には、前記あり溝内に摺動自在に嵌合する嵌合部と前記照明装置本体の左右端からそれぞれ突出する取付部から成る一対の取付部材が設けられ、該取付部材は前記照明装置本体の左右端に係合固定した側端部材により前記照明装置本体の左右端からそれぞれ外方への移動が阻止されていることを特徴としている。
この特徴によれば、発光ダイオードを照明装置本体の中央板状部下面あるいは下方に複数並べたので、充分な照度が得られると共に、取付部材の取付部を外方に突出させた状態で嵌合部のみをあり溝内に嵌合させ、側端部材により照明装置本体からそれぞれ外方への移動を阻止したので、照明装置本体の長寸化が抑えられ、かつ工具等を使用することなく取付部材を照明装置本体に容易に組み付けることができ、しかも取付部が照明装置本体から離れて突出しているため、照明装置にキズ等を付けることなく簡便に被取付体に取り付けることができる。また、照明装置本体が断面コ字状となっているため、中央板状部下面あるいは下方にある複数の発光ダイオードを保護することが可能である。
【０００７】
本発明の請求項２に記載の照明装置は、請求項１に記載の照明装置であって、前記取付部材の取付部と嵌合部との間には取付部が上位となる段差部が形成され、前記側端部材の上辺部が該段差部と係合することにより、取付部材の外方への移動が阻止されていることを特徴としている。
この特徴によれば、側端部材を利用し取付部材を段差部を係合するだけで、取付部材の外方への移動を阻止できるので、工具を必要とせずに簡素な部品構成で照明装置本体の固定保持が可能である。
【０００８】
本発明の請求項３に記載の照明装置は、請求項２に記載の照明装置であって、前記取付部材の嵌合部が前記あり溝に嵌合された状態において、嵌合部のあり溝幅方向の長さがあり溝底部の幅と等しいか小さく、かつあり溝開口幅よりは大きく形成され、嵌合部のあり溝と平行方向の長さがあり溝開口幅より小さく形成されているとともに、前記段差部のあり溝幅方向の長さがあり溝開口幅より小さく、且つ段差部の高さがあり溝高さよりも大きく形成されていることを特徴としている。
この特徴によれば、側端部材を照明装置本体に係合固定した状態にあっても、取付部材を取付状態から略９０度を変位した位置で、嵌合部をあり溝底部に嵌合させながら回転することで、容易に取付位置に移動させることが可能である。
【０００９】
本発明の請求項４に記載の照明装置は、請求項１乃至３のいずれかに記載の照明装置であって、前記照明装置本体はアルミの押出し成型で形成され、あり溝は中央板状部の長手方向に連続して形成されていることを特徴としている。
この特徴によれば、照明装置本体はアルミの押出し成型で形成することにより、あり溝の形成が容易であり、かつ軽量な照明装置を提供できる。
【００１０】
本発明の請求項５に記載の照明装置は、請求項４に記載の照明装置であって、前記あり溝の取付部材が嵌合していない部分に剛性板部材が挿入されていることを特徴としている。
この特徴によれば、あり溝の取付部材が嵌合していない部分に剛性板部材を挿入することにより、照明装置本体取り付け時における撓みを防止することができる。
【発明を実施するための最良の形態】
【００１１】
本発明の実施例を以下に説明する。
【実施例】
【００１２】
図１は、本発明の実施例における照明装置の全体像を示す斜視図であり、図２は、照明装置の使用例を示す斜視図であり、図３は、照明装置の分解組立斜視図であり、図４（ａ）は、照明装置の取り付けに使用される一対の取付部材を示す斜視図であり、図４（ｂ）は、取付部材の平面図および側面図であり、図５は、照明装置本体の側断面図であり、図６は、照明装置の側断面図であり、図７（ａ）〜（ｃ）は、取付部材を照明装置のあり溝部内に取り付ける過程を示す平面図であり、図８は、照明装置を棚板に取り付ける際に照明装置を手で持ち上げた側断面図であり、図９（ａ）は、棚板に取付部材を介して照明装置を取り付ける断面図であり、図９（ｂ）は、照明装置が棚板に固定された状態を示す要部拡大斜視図である。
【００１３】
図１に示されるように照明装置１は、アルミの押出し成型により長手方向に延設された横長の照明装置本体２と、その長手方向の両端にアルミまたは硬質の樹脂材で成型された側端部材１２，１２が各々設けられ、さらに下面部に透光性を有する板状プラスチック樹脂材の透光板１０が設けられている。尚、本実施例の説明において、照明装置１の長手方向を左右方向として、照明装置１の背面側を前方とし正面側を後方として以下に説明する。
【００１４】
照明装置１の内部には長手方向に沿って発光ダイオード（以下、ＬＥＤ１５ａ）が複数設けられており、透光板１０の右側に設けられたＯＮ／ＯＦＦ切換式のボタン１６ａの操作によって、ＬＥＤ１５ａの点灯および消灯を行えるようになっており、複数のＬＥＤ１５ａの発光によって下方に向けて照明可能になっている。これらＬＥＤ１５ａの発光電力は右側の側端部材１２から内部に引き込まれたコード１８によって外部より給電されている。
【００１５】
そして、照明装置１の上面の左端縁からは長手方向外方に向けて突設するように、板金の取付部材２０が取り付けられるとともに、特に図示しないが照明装置１の上面の右端縁からも同様に取付部材２０が取り付けられており、照明装置１は左右一対の取付部材２０，２０を介して、ネジ３４により取り付け可能になっている。尚、取付部材２０，２０については後述においてさらに詳しく説明する。
【００１６】
図２に示されるように、照明装置１は机３０の上部に設置された被取付体である木製の棚板３３下面の前後中央位置に、棚板３３の左右の長手方向に沿って取り付けられている。このように、棚板３３の下面に照明装置１が取り付けられたことで、棚板３３の上面に設置される書籍や収納ボックス３２の使用に支障をきたすことなく暗くなりがちな棚下空間を照明でき、例えば机３０の机上でパソコン３２等をもちいてデスクワークを行う際にも、快適に作業を行えるようになっている。また、ＬＥＤ１５ａの特性としては、従来公知の蛍光灯を用いた照明装置に比べて、省電力に優れしかも長寿命である。
【００１７】
照明装置１について図３および図５を用いて詳しく説明する。まず図３に示されるように、照明装置本体２はアルミの押出し成型で形成されていることから、断面下向きコ字状に一方が開口するように左右の長手方向に向けて延設されているとともに、上部の中央板状部３の前後中間位置には、あり溝３ａが長手方向に向けて連続して凹設される。このように、照明装置本体２がアルミの押出し成型により形成されることで、中央板状部３の長手方向全長に渡るあり溝３ａの形成が容易である。しかも照明装置本体２の各部位も一体に形成されるので、複雑な構造にならずに軽量化も図られる。あり溝３ａの中間位置には、長手方向に延びる剛性の板部材からなる補強材１３を上方より挿入して取り付け可能になっているとともに、この補強材１３のあり溝３ａへの取り付け位置以外のあり溝３ａの左右端部には、前述の取付部材２０，２０を取り付け可能になっている。
【００１８】
照明装置本体２について具体的に説明すると図５に示されるように、平坦状に形成されたあり溝３ａの底部の前後には長手方向に沿って溝条３ｃ，３ｃが形成され、あり溝３ａの開口の前後には、長手方向に沿って凸条３ｄ，３ｄが形成されている。なお、溝条３ｃ−３ｃ間のあり溝底部幅Ｄは、凸条３ｄ−３ｄ間のあり溝開口幅Ｃよりも長くなるように形成されている。
【００１９】
補強材１３の取り付けにおいては、補強材１３の下面に予め接着強度のある両面テープや接着剤等が塗工されており、補強材１３の前後の短辺幅Ｅはあり溝開口幅Ｃよりも短かいため両者の接触が避けられるので、この補強材１３の塗工面を下にしてあり溝３ａに載置するだけで容易に取り付けられる。
【００２０】
中央板状部３の裏面には平坦状の下面３ｂが形成されており、後述において説明する配線基板１４の取付面となっている。中央板状部３の前後には短手方向に突出する上端縁４ｃ，４ｃが形成され、これら上端縁４ｃ，４ｃからは下方に向けて側部４，４が延設されている。そして、側部４，４の遊端部からは短手方向に突出する下端縁４ｂ，４ｂが形成されている。
【００２１】
これら側部４，４外面の上端縁４ｃ，４ｃと下端縁４ｂ，４ｂの上下間には、それぞれ長手方向に向けて溝４ａが上下複数段で形成されている。照明装置本体２内部の内側面６，６には、上部に長手方向に向けて上溝条６ａ，６ａが形成され、下部に長手方向に向けて下溝条６ｂ，６ｂが形成されている。
【００２２】
図３に示されるように、照明装置本体２の左右端面７，７側に位置する側端部材１２，１２の内面側にはそれぞれ外周縁１２ｂが凸設され、中央に凹設面１２ｄが形成されている。この凹設面１２ｄの上端前後の２箇所からは、照明装置本体２側に向けて嵌入片１２ａが一対突設され、照明装置本体２の一対の上溝条６ａにそれぞれ嵌入可能になっている。
【００２３】
配線基板１４は左右方向に延びる矩形の薄板で形成され、前述したＬＥＤ１５ａを備える照明部１５が前後中間位置で長手方向に沿って所定の間隔で一直線上に設けられている。このＬＥＤ１５ａは光源体を透明な合成樹脂材で被覆して成型されている。配線基板１４の右側には、上方向に押圧可能なボタン１６ａを備えた操作部１６が設けられ、左側には複数の照明部１５を制御する制御部１７が設けられている。
【００２４】
これら各部材（１５，１６，１７）はコード１８および内部の接続配線１９により接続されている。尚、制御部１７ではコード１８からの交流電力を直流に変換するコンバータ機能を備えるとともに、ＬＥＤ１５ａの照度や発色の調整および、ボタン１６ａ操作による操作部１６からのＯＮ／ＯＦＦ信号に基づくＬＥＤ１５ａの制御機能等を備えている。
【００２５】
次いで、透光板１０について説明すると、本実施例の透光板１０はプラスチック樹脂材も用いて成型され、左右方向に延びる矩形の薄板で形成されている。透光板１０の前後縁には段状の端部１０ａ，１０ａが形成され、中間部がＬＥＤ１５ａの光を透光可能な透光部１０ｂとなっている。透光部１０ｂの右側には上下に貫通するボタン孔１０ｃが形成され、後述する照明装置本体２への透光板１０の取付時に、ボタン１６ａ下部の一部を下方に突出可能になっている。
【００２６】
そこで、一対の取付部材２０，２０について、図４（ａ）（ｂ）に基づき説明する。取付部材２０，２０は板金の折曲げ加工により成型されており、取付部材２０，２０の略中間位置には、側面視Ｌ字に略９０度で変位するクランク状に折り曲げた段差部２４が形成され、段差部２４の上位には平坦状の取付部２１が形成されている。尚、段差部２４の高さはあり溝部３ａの上下の高さ（深さ）よりも大きく形成されている。
【００２７】
この取付部２１には、上下に貫通するネジ挿通孔２１ａが形成されている。段差部２４の下位には取付部２１と平行な面となるように平坦状の嵌合部２２が形成されている。嵌合部２２は長辺幅Ａと短辺幅Ｂからなる略矩形状となっており、嵌合部２２の長辺幅Ａ方向の両側端面２３，２３には、それぞれ中央がやや外方にむけて突出するように上面視円弧状に形成されている。
【００２８】
そこで、図３と図６及び図７を併せ用いて、照明装置本体２への側端部材１２，１２、配線基板１４、透光板１０および取付部材２０，２０の取り付けについて説明すると、まず配線基板１４の上面または中央板状部３の下面３ｂには、特に図示しないが予め接着強度のある両面テープや接着剤等が塗工されており、配線基板１４の上面を下面３ｂに押し付けるだけで取り付けられている。このように、複数のＬＥＤ１５ａが一体に配設された配線基板１４を中央板状部３の下面３ｂに固定したことで、ＬＥＤ１５ａを配線ごとまとめて照明装置本体２に取り付けることができ組み付けが容易となる。
【００２９】
次いで、照明装置本体２の左右のいずれか一方の端面７，７側より、透光板１０の両端部１０ａ，１０ａを前後の下溝条６ｂ，６ｂに摺動移動させることで、透光板１０が長手方向に案内され取り付けられる。この透光板１０を取り付ける際には、操作部１６よりボタン１６ａを一時的に取り外しておくことで、透光板１０の摺動時にボタン１６ａと透光板１０との衝突が未然に避けられるとともに、透光板１０の取り付け後に再度ボタン１６ａを下方よりボタン孔１０ｃを介して挿通するだけで、簡便に操作部１６が取り付けられる。
【００３０】
そして、照明装置本体２の左右に配置された側端部材１２，１２の嵌入片１２ａ，１２ａを上溝条６ａ，６ａに挿し込んでいくことで嵌入固定されされ、外周縁１２ｂ，１２ｂが端面７，７に当接されて側端部材１２，１２の取り付けが完了するとともに、透光板１０の左右端は下部の外周縁１２ｂに保持され左右方向の移動が確実に拘束されるので、透光板１０を保持するための部品を新たに用意する必要がない。
【００３１】
このようにして構成された照明装置１では、ボタン１６ａの操作によって複数のＬＥＤ１５ａが一斉に発光されるので、充分な照度が得られ、且つＬＥＤ１５ａは従来の蛍光灯に比べてコンパクトな構成なので省スペース化を実現できる。
【００３２】
そして、側面視下向きコ字状の照明装置本体２の前後は、側部４，４で覆われ、且つ左右端面７，７は側端部材１２，１２で覆われるとともに、下方は透光板１０で覆われているので、ＬＥＤ１５ａの照明光を棚板３３の棚下（図２参照）に集中させて、棚下空間に充分な照明を施すことが可能となる。また、透光板１０によって内部にある複数のＬＥＤ１５ａを外部から完全に被覆することができるので、外部からの衝撃に強くＬＥＤ１５ａの保護が図られるとともに、埃や塵等の入り込みも防止できる。
【００３３】
さらに、両側部４，４に設けられた複数の溝４ａ，４ａによって、両側部４，４の外面と空気との接触面積が拡大されることから、ＬＥＤ１５ａの輝度が高輝度の場合であっても、両側部４，４の溝形状（４ａ，４ａ）が放熱フィンとして、ＬＥＤ１５ａの熱を外部に放散する効果を発揮する。
【００３４】
次に、取付部材２０，２０の照明装置本体２への取り付けについて説明する。取付部材２０，２０を取り付けるには、取付部材２０を照明装置本体２の上部の左右端側（図３参照）に取り付けの際には、図６に示されるように、嵌合部２２の短辺側があり溝の開口幅に収まるように載置する。このとき、嵌合部２２の短辺幅Ｂの長さはあり溝開口幅Ｃよりも短かく設定されているので、凸条３ｄ，３ｄに接触することなく、容易にあり溝３ａに載置させることができる。尚、嵌合部２２の上下の厚みは、溝条３ｃ，３ｃ内に嵌入可能な厚みに形成されている。
【００３５】
図７（ａ）には、嵌合部２２の短辺側があり溝の開口幅に収まるように載置した状態を示したものであり、取付部２１が照明装置本体２の長手方向から直交（略９０度）するように外方に向いている。このとき段差部２４の高さがあり溝部３ａの高さよりも高く形成されている（図６参照）ので、容易に嵌合部２２，２２があり溝部３ａ内に収納される。
【００３６】
そして、溝条３ｃ，３ｃ間に収納された嵌合部２２，２２があり溝３ａの底部に当接された状態を維持しながら、左右の取付部２１，２１を左右それぞれの側端部材１２，１２側の外方（矢示された方向）に向けて回動させていくと、図７（ｂ）に示されるように、長辺側の両側端面２３，２３の対向する角部の一方側より、前後の溝条３ｃ，３ｃにそれぞれ嵌入されていき、さらに矢示された方向に回動されることで、両側端面２３，２３がそれぞれ前後の溝条３ｃ，３ｃに沿って摺動されながら回動されていく。尚、段差部２４の横幅が凸条３ｄ−３ｄ間のあり溝開口幅Ｃよりも小さく形成されているため、取付部材２０，２０の回動時に段差部２４の両端が、あり溝開口幅Ｃ（凸条３ｄ−３ｄ間）に引っ掛かることなく円滑な回転が行われる。
【００３７】
そして図７（ｃ）に示されるように、嵌合部２２の長辺側の両側端部が前後の溝条３ｃ，３ｃに嵌合され、取付部２１，２１が照明装置本体２の長手方向に沿って外方に向けて配置されることで、取付部材２０，２０の取り付けが完了する。この取付状態においては嵌合部２２，２２の長辺幅Ａの長さが、あり溝開口幅Ｃ（凸条３ｄ−３ｄ間）よりも長く且つ、あり溝底部幅（溝条３ｃ−３ｃ間）と等しく（若しくは小さく）形成されていることで、あり溝開口幅Ｃ（凸条３ｄ−３ｄ間）からの嵌合部２２，２２の取り外れが防止され、確実に取付部材２０，２０があり溝３ａに位置決めされる。
【００３８】
このように、照明装置１の組立後であっても、照明装置本体２の左右のあり溝３ａ，３ａに工具を使用することなく、取付部材２０を照明装置本体２の左右の長手方向から直交する略９０度変位した前後方向から、側端部材１２の外方に向けて照明装置本体２の長手方向の長さに沿って容易に取付位置に移動させることが可能である。尚、取付部材２０，２０を取り外す際には、取り付けと逆の工程を行うことで簡便に取り外すことができる。
【００３９】
さらに、それぞれの取付部材２０，２０の段差部２４，２４を左右の側端部材１２，１２の外周縁１２ｂ，１２ｂに当接するまで、図７（ｃ）に示した矢示方向に移動させることで、取付部材２０，２０の外方への移動が拘束される。また、取付部材２０，２０に回動させる外圧が加えられた場合でも、クランク状の段差部２４，２４が外周縁１２ｂ，１２ｂで規制されるので、取付部材２０，２０の回動による位置ズレが防止できる。
【００４０】
そこで、取付部材２０，２０が取り付けられた照明装置１を棚板３３に取り付けるには、まず図８に示されるように、照明装置本体２の前後側部４の溝４ａ，４ａに指を掛けて指の滑りも防止しながら持ち上げるだけで簡便に片手で把持することができ、中央板状部３を上面にして棚板３３の下面位置に取付部材２０の取付部２１を当接させる。
【００４１】
このとき、溝４ａ，４ａの上下位置には短手方向に突出する上端縁４ｃ，４ｃおよび下端縁４ｂ，４ｂが形成されたことで、指の把持位置である溝４ａ，４ａの位置が前後から中央に向けて凹設された状態となるので、照明装置１の移動中に側部４，４から指が安易に取り外れない構成になっている。また、ＬＥＤ１５ａおよび照明部１５は軽量なため、本実施例のように複数用いても照明装置本体２に大きな負荷（重量）を与えない。しかも、断面コ字状の照明装置本体２のみを指で把持し移動することで、透光板１０や複数のＬＥＤ１５ａを傷めることもなく、ボタン１６ａの接触による誤動作も生じない。
【００４２】
そして、図９（ａ）に示されるように側端部材１２の外周縁１２ｂの上辺部には、取付部材２０の段差部２４が係合されたことで、取付部材２０の外方への移動を阻止できるので、工具を必要とせずに簡素な部品構成で照明装置本体２への取付部材２０の固定保持が可能となっている。
【００４３】
棚板３３の左側下面には、棚板３３面に対して垂直方向に向くネジ取付穴３３ａが形成され、このネジ取付穴３３ａに左側の取付部材２０の取付部２１のネジ挿通孔２１ａを重ね合わせ位置調整を行い、下方よりドライバー等の工具を用いてネジ３４をネジ挿通孔２１ａを介してネジ取付穴３３ａに螺合する。特に図示しないが、他方の棚板３３の右側下面にも、同様にネジ取付穴３３ａが形成されネジ３４で右側の取付部材２０の取付部２１を介して螺合することで、照明装置１が左右の取付部材２０，２０を介して棚板３３下面に固定される。
【００４４】
このように、取付部材２０の取付部２１が照明装置本体２および側端部材１２から離れて突出されているので、照明装置１にキズ等を付けることなく簡便に被取付体である棚板３３に取り付けることができる。そして、取付部２１を外方に突出させた状態で嵌合部２２のみをあり溝３ａ内に嵌合させ、側端部材１２により照明装置本体２からそれぞれ外方への移動を阻止したので、照明装置本体２の左右方向の移動も拘束でき、照明装置本体２に直接取付部を形成する必要がなく、照明装置本体２の長寸化が抑えられ、かつ工具等を使用することなく、取付部材２０を照明装置本体２に容易に組み付けることができる。
【００４５】
また、取付部材２０が棚板３３に固定された状態では、あり溝３ａ内に収納した補強材１３の上面も棚板３３下面に当接されるようにすることで、より確実に照明装置１のぐらつきが防止される。さらに、補強材１３が取り付けられたことで、照明装置１の取り付け時および使用時における照明装置本体２の撓みも防止することができる。尚、本実施例の補強材１３の材質としては、硬質のプラスチック材料で形成されたことで、剛性強度とともに照明装置１の軽量化も図られたことから好ましいが、本発明はこれに限定されるものではなく、補強材１３を金属等の他の材料で形成してもよく、剛性を有する板部材であれば良い。
【００４６】
しかしながら、本発明は補強材１３を用いた照明装置１に限定されるものではなく、本実施例の照明装置本体２から補強材１３を取り外した構成であっても、左右の取付部材２０，２０によって照明装置１の両端が確実に支持固定されているので、十分に支持強度が保たれた構成になっており、照明装置１の使用時において何ら支障をきたすものではない。
【００４７】
そして、図９（ｂ）に示されるように照明装置１は、側端部材１２近傍上端の棚板３３下面位置に板状の取付部材２０を用いて固定されたことで、棚板３３の下方に取付部材２０の取り付け箇所が極力突出せず、外部から目立ちにくい構成となり見栄えもよく、ＬＥＤ１５ａの照明にも何ら不具合を生じさせることはない。
【００４８】
このように、光源に複数のＬＥＤ１５ａを用いたことで、ＬＥＤ１５ａの照明光を棚下に向けて充分な照明を施すことができるとともに、照明装置１を薄型設計することが可能となり、棚板３３の棚下空間部を有効利用することができ、かつ机３０を利用する利用者に圧迫感を与えることがない。また、棚板３３から照明装置１を取り外す際にも、前述の照明装置１の取り付け時と同様に、前後側部４の溝４ａに指を掛けて片手で把持することができるとともに、溝４ａによって指先の滑りが防止された状態で安定して取り外し作業を行える。
【００４９】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、あり溝３ａが照明装置本体２のアルミの押出し成型により長手方向全長に渡って形成されることから、照明装置本体２の重量の軽量化が図られていることから好ましいが、本発明はこれに限定されるものではなく、少なくとも中央板状部３の左右端側に、一対の取付部材２０，２０が取り付け可能なあり溝が形成されていれば良い。
【００５０】
また、上記実施例では、照明装置本体２の両側部４，４に複数の溝４ａ，４ａが形成されたことで、照明装置１の取り付けまたは取り外し時における指の滑りを防止できることから好ましいが、他の実施形態として溝４ａ，４ａを形成せずに、両側部４，４の外表面に細かな凹凸状の摩擦面を形成して、指の滑りを防止可能な構成にしても良い。
【００５１】
また、上記実施例では、ＬＥＤ１５ａを備えた照明部１５を配線基板１４に一体で設けたことで、中央板状部３の下面３ｂに容易に取り付けられることから好ましいが、本発明のＬＥＤ１５ａの取り付け位置は限定されるものではなく、ＬＥＤ１５ａの発光を遮らずかつ棚下に向けて確実に照明可能であれば良く、例えばＬＥＤ１５ａを中央板状部３の下面３ｂ下方に設けるようにしても良い。
【００５２】
また、上記実施例では、棚板３３へのネジ３４の螺合による取り付けを容易に行えるように、予め棚板３３下面にネジ取付穴３３ａを形成したが、本発明はこれに限定されるものではなく、棚板３３下面にネジ取付穴３３ａを形成せずに、ネジ３４を棚板３３下面に直接螺合させることで、照明装置１を任意の位置に取り付けるようにしても良い。尚、図示しない金属板の棚板に照明装置１を取り付ける場合には、例えば予め棚板の所定箇所に取付穴を形成して、ボルトやネジ等で取り付けるようにしても良い。
【００５３】
また、上記実施例では、複数のＬＥＤ１５ａを照明装置本体２の長手方向に沿って、一直線状に配設しているが、本発明はこれに限定されるものではなく、一直線状のＬＥＤ１５ａを前後に複数並列配設して照明の照度を高めても良い。
【００５４】
さらに、被取付体が鉄製のものであれば、補強材に代えて板状の磁石を用いることも可能である。
【図面の簡単な説明】
【００５５】
【図１】本発明の実施例における照明装置の全体像を示す斜視図である。
【図２】照明装置の使用例を示す斜視図である。
【図３】照明装置の分解組立斜視図である。
【図４】（ａ）は、照明装置の取り付けに使用される一対の取付部材を示す斜視図であり、（ｂ）は、取付部材の平面図および側面図である。
【図５】照明装置本体の側断面図である。
【図６】照明装置の側断面図である。
【図７】（ａ）〜（ｃ）は取付部材を照明装置のあり溝部内に取り付ける過程を示す平面図である。
【図８】照明装置を棚板に取り付ける際に照明装置を手で持ち上げた側断面図である。
【図９】（ａ）は、棚板に取付部材を介して照明装置を取り付ける断面図であり、（ｂ）は、照明装置が棚板に固定された状態を示す要部拡大斜視図である。
【符号の説明】
【００５６】
１                照明装置
２                照明装置本体
３                中央板状部
３ａ              あり溝
３ｂ              下面
３ｃ              あり溝底部の溝条
３ｄ              あり溝開口幅の凸条
４                側部
４ａ              溝
４ｂ              下端縁
４ｃ              上端縁
６                内側面
６ａ              上溝条
６ｂ              下溝条
７                端面
８                傾斜面
１０              透光板
１０ａ            端部
１０ｂ            透光部
１０ｃ            ボタン孔
１２              側端部材
１２ａ            嵌入片
１２ｂ            外周縁
１２ｃ            コード孔
１２ｄ            凹設面
１３              補強材（剛性板部材）
１４              配線基板
１５              照明部
１５ａ            発光ダイオード（ＬＥＤ）
１６              操作部
１６ａ            ボタン
１７              制御部
１８              コード
１９              接続配線
２０              取付部材
２１              取付部
２１ａ            ネジ挿通孔
２２              嵌合部
２３              側端面
２４              クランク状の段差部
３０              机
３２              パソコンや文具等の載置物
３３              木製の棚板（被取付体）
３３ａ            ネジ取付穴
３４              ネジ
Ａ                嵌合部２２の長辺幅
Ｂ                嵌合部２２の短辺幅
Ｃ                凸条３ｄ−３ｄ間のあり溝開口幅
Ｄ                溝条３ｃ−３ｃ間のあり溝底部幅
Ｅ                補強材１３の短辺幅
【図１】
0004571029.tif 000002
【図２】
0004571029.tif 000003
【図３】
0004571029.tif 000004
【図４】
0004571029.tif 000005
【図５】
0004571029.tif 000006
【図６】
0004571029.tif 000007
【図７】
0004571029.tif 000008
【図８】
0004571029.tif 000009
【図９】
0004571029.tif 000010